(57)【要約】【課題】収納スペースを小さくすることができ、水切りを容易に行えて乾燥させやすい墓参り用手桶を提供する。【解決手段】開口１０ａを有し、側壁１５と底部１１とを有する有底の筒状の手桶本体１０と、この手桶本体１０の開口１０ａ側の端部から外方に延びる一対の腕部１２と、一対の腕部１２の一方から他方に亘って配設され、一対の腕部１２に着脱自在である持ち手部材１４と、を備え、手桶本体１０は、手桶本体１０の側壁１５の外表面１５ａから突出する外側突起部１８を有し、手桶本体１０を別の墓参り用手桶に積み重ねることができるとともに、手桶本体１０を別の墓参り用手桶に積み重ねた際に、手桶本体１０の外側突起部１８と別の墓参り用手桶とが当接し、手桶本体１０と別の墓参り用手桶との間に空間が形成される墓参り用手桶１００。【選択図】図１
0003198048.tif 000002
【実用新案登録請求の範囲】
【請求項１】
開口を有し、側壁と底部とを有する有底の筒状の手桶本体と、
前記手桶本体の前記開口側の端部から外方に延びる一対の腕部と、
前記一対の腕部の一方から他方に亘って配設され、前記一対の腕部に着脱自在である持ち手部材と、を備え、
前記手桶本体は、前記手桶本体の前記側壁の外表面から突出する外側突起部を有し、
前記手桶本体を別の墓参り用手桶に積み重ねることができるとともに、前記手桶本体を前記別の墓参り用手桶に積み重ねた際に、前記手桶本体の前記外側突起部と前記別の墓参り用手桶とが当接し、前記手桶本体と前記別の墓参り用手桶との間に空間が形成される墓参り用手桶。
【請求項２】
前記手桶本体は、前記手桶本体の前記側壁の内表面から突出する内側突起部を有し、
前記持ち手部材の端部には、水をすくうことが可能な碗状の碗状部材が配設され、前記持ち手部材が、柄杓の柄であり、前記碗状部材が前記柄杓の碗である請求項１に記載の墓参り用手桶。
【請求項３】
前記手桶本体は、前記側壁、前記底部、または、前記側壁と前記底部の両方に、スリットが形成されている請求項１または２に記載の墓参り用手桶。
【請求項４】
前記手桶本体の前記底部に配設される脚部を更に備え、
前記手桶本体の前記底部が、外方に突出するテーパー面を有する請求項１〜３のいずれか一項に記載の墓参り用手桶。
【請求項５】
前記脚部が、キャスターであり、前記キャスターを３つ以上備える請求項４に記載の墓参り用手桶。
【考案の詳細な説明】
【技術分野】
【０００１】
本考案は、墓参り用手桶に関し、詳しくは、収納スペースを小さくすることができ、水切りを容易に行えて乾燥させやすい墓参り用手桶に関する。
【背景技術】
【０００２】
従来、霊園や墓所等には、墓などに掛ける水を運ぶための手桶がある。この手桶は、通常、平面的に並べて収納するため、社寺や霊園等で保管する際には、手桶の収納用の広い面積を必要としていた。
【０００３】
しかし、手桶の収納用の広い面積を確保することは容易でない。そこで、狭い場所でも多数収納できる手桶が報告されている（特許文献１参照）。
【先行技術文献】
【特許文献】
【０００４】
【特許文献１】実用新案登録第３１６８６４７号公報
【考案の概要】
【考案が解決しようとする課題】
【０００５】
しかしながら、上記手桶は、狭い場所でも多数収納できるものであるが、使用後において早く乾燥されるという点では改良の余地があった。
【０００６】
本考案は、このような従来技術の有する問題点に鑑みてなされたものである。本考案の課題とするところは、収納スペースを小さくすることができ、水切りを容易に行えて乾燥させやすい墓参り用手桶を提供する。
【課題を解決するための手段】
【０００７】
本考案によれば、以下に示す、墓参り用手桶が提供される。
【０００８】
［１］  開口を有し、側壁と底部とを有する有底の筒状の手桶本体と、前記手桶本体の前記開口側の端部から外方に延びる一対の腕部と、前記一対の腕部の一方から他方に亘って配設され、前記一対の腕部に着脱自在である持ち手部材と、を備え、前記手桶本体は、前記手桶本体の前記側壁の外表面から突出する外側突起部を有し、前記手桶本体を別の墓参り用手桶に積み重ねることができるとともに、前記手桶本体を前記別の墓参り用手桶に積み重ねた際に、前記手桶本体の前記外側突起部と前記別の墓参り用手桶とが当接し、前記手桶本体と前記別の墓参り用手桶との間に空間が形成される墓参り用手桶。
【０００９】
［２］  前記手桶本体は、前記手桶本体の前記側壁の内表面から突出する内側突起部を有し、前記持ち手部材の端部には、水をすくうことが可能な碗状の碗状部材が配設され、前記持ち手部材が、柄杓の柄であり、前記碗状部材が前記柄杓の碗である前記［１］に記載の墓参り用手桶。
【００１０】
［３］  前記手桶本体は、前記側壁、前記底部、または、前記側壁と前記底部の両方に、スリットが形成されている前記［１］または［２］に記載の墓参り用手桶。
【００１１】
［４］  前記手桶本体の前記底部に配設される脚部を更に備え、前記手桶本体の前記底部が、外方に突出するテーパー面を有する前記［１］〜［３］にいずれかに記載の墓参り用手桶。
【００１２】
［５］  前記脚部が、キャスターであり、前記キャスターを３つ以上備える前記［４］に記載の墓参り用手桶。
【考案の効果】
【００１３】
本考案の墓参り用手桶は、収納スペースを小さくすることができ、水切りを容易に行えて乾燥させやすいものである。
【図面の簡単な説明】
【００１４】
【図１】本考案の墓参り用手桶の一の実施形態を模式的に示す斜視図である。
【図２】本考案の墓参り用手桶の一の実施形態を模式的に示す正面図である。
【図３】本考案の墓参り用手桶の一の実施形態を模式的に示す一部断面図である。
【図４】本考案の墓参り用手桶の一の実施形態を複数個重ねた状態の一部を模式的に示す断面図である。
【図５】本考案の墓参り用手桶の他の実施形態を模式的に示す正面図である。
【図６】本考案の墓参り用手桶の他の実施形態を模式的に示す底面図である。
【図７】本考案の墓参り用手桶の更に他の実施形態を模式的に示す正面図である。
【図８】本考案の墓参り用手桶の更に他の実施形態を模式的に示す斜視図である。
【図９】本考案の墓参り用手桶の更に他の実施形態を模式的に示す正面図である。
【考案を実施するための形態】
【００１５】
以下、本考案の実施の形態について説明するが、本考案は以下の実施の形態に限定されるものではなく、本考案の趣旨を逸脱しない範囲で、当業者の通常の知識に基づいて、以下の実施の形態に対し適宜変更、改良等が加えられたものも本考案の範囲に入ることが理解されるべきである。
【００１６】
［１］墓参り用手桶：
本考案の墓参り用手桶の一実施形態は、図１〜図３に示す墓参り用手桶１００である。墓参り用手桶１００は、開口１０ａを有し、側壁１５と底部１１とを有する有底の筒状の手桶本体１０と、この手桶本体１０の開口１０ａ側の端部から外方に延びる一対の腕部１２と、一対の腕部１２の一方から他方に亘って配設され、一対の腕部１２に着脱自在である持ち手部材１４と、を備えている。そして、手桶本体１０は、手桶本体１０の側壁１５の外表面１５ａから突出する外側突起部１８を有している。この墓参り用手桶１００は、手桶本体１０を別の墓参り用手桶に積み重ねることができる（図４参照）。そして、墓参り用手桶１００は、手桶本体１０を別の墓参り用手桶に積み重ねた際に、手桶本体１０の外側突起部１８と別の墓参り用手桶とが当接し、図４に示すように、手桶本体１０と別の墓参り用手桶との間に空間が形成される。
【００１７】
このような墓参り用手桶１００は、持ち手部材１４が一対の腕部１２、１２に着脱自在であるため、持ち手部材１４を取り外して（図４参照）、複数の墓参り用手桶を重ねることができる（図５参照）。そのため、墓参り用手桶１００は、収納スペースを小さくすることができる。また、墓参り用手桶１００は、図４に示すように、逆さにして別の墓参り用手桶に積み重ねると、手桶本体１０の外側突起部１８と別の墓参り用手桶とが当接し、手桶本体１０と別の墓参り用手桶の手桶本体との間に空間ができる。そのため、墓参り用手桶１００は、水切りを容易に行えて乾燥させやすい。
【００１８】
図１は、本考案の墓参り用手桶の一の実施形態を模式的に示す斜視図である。図２は、本考案の墓参り用手桶の一の実施形態を模式的に示す正面図である。図３は、本考案の墓参り用手桶の一の実施形態を模式的に示す一部断面図である。図４は、本考案の墓参り用手桶の一の実施形態を複数個重ねた状態の一部を模式的に示す断面図である。なお、図４は、墓参り用手桶の大きさが異なるものを示しているが、同じ大きさ及び形の墓参り用手桶についても同様に積み重ねことができる。
【００１９】
［１−１］手桶本体：
手桶本体１０は、図１に示すように、開口１０ａを有し、側壁１５と底部１１とを有する有底の筒状のものである。墓参りする際には、この手桶本体１０に水を汲み、目的の墓まで手桶を運ぶことになる。
【００２０】
「開口」とは、墓参りの際に手桶本体１０（墓参り用手桶１００）に水等を出し入れするための開放された口を意味する。「有底の筒状」とは、筒の一方の端部に底部が形成された形状をいう。例えば、持ち手の無いコップや湯飲みなどは有底の筒状ということができる。
【００２１】
墓参り用手桶１００は、図４に示すように、手桶本体１０を別の墓参り用手桶１００の手桶本体１０に重ねた状態で収納できる。即ち、墓参り用手桶１００が、２個以上（複数個）ある場合に、一つの墓参り用手桶１００の手桶本体１０を、別の墓参り用手桶１００の手桶本体に積み重ねることができる。なお、墓参り用手桶を積み重ねる際には、手桶を乾燥させやすくするため、逆さにすることがよい。
【００２２】
墓参り用手桶が複数個ある場合、積み重ねることができないと、墓参り用手桶１００の数の分だけ収納スペース（収納面積）を必要とするが、本考案の墓参り用手桶は、持ち手部材を取り外して積み重ねることができるため、墓参り用手桶の収納スペースを最小限にすることができる。
【００２３】
更に、墓参り用手桶１００は、図４に示すように、その手桶本体１０を別の墓参り用手桶に積み重ねた際に、手桶本体１０の外側突起部１８と別の墓参り用手桶とが当接し、手桶本体１０と別の墓参り用手桶の手桶本体との間に空間ができる。即ち、墓参り用手桶１００が、２個以上（複数個）ある場合に、一つの墓参り用手桶１００の手桶本体１０を、別の墓参り用手桶１００の手桶本体に積み重ねた際に、手桶本体同士の間に空間ができる。そのため、この空間によって墓参り用手桶１００（手桶本体１０）間の通気性を確保できる。その結果、本考案の墓参り用手桶は、水切りを容易に行えて乾燥させやすいことになる。
【００２４】
このように手桶本体同士の間に空間ができるのは、手桶本体が、その側壁の外表面から突出する外側突起部を有しているためである。即ち、本考案の墓参り用手桶は、手桶本体を別の墓参り用手桶に積み重ねると、手桶本体の外側突起部と別の墓参り用手桶とが当接する。そのため、積み重ねた墓参り用手桶の手桶本体同士が密着して通気性が悪くなることを防止でき、水切りが容易に行える。
【００２５】
外側突起部は、手桶本体の側壁の外表面の一部から突出するものである。この外側突起部を有することにより、本考案の墓参り用手桶は、上記のように、水切りを容易に行えて乾燥させやすいものとなる。
【００２６】
外側突起部は、周方向の一部または全部に形成されたものとすることができる。また、外側突起部は、手桶本体の底部から、手桶本体の高さの３／４程度の位置までの一部または全部に形成することができる。手桶本体の高さの３／４より高い位置には、手桶の所有者の名前を表示することがあるため、手桶本体の高さの３／４より高い位置には外側突起部を形成しないことが好ましい。
【００２７】
図１、図２に示すように、外側突起部１８は、小さな突起とすることができ、複数形成することができる。具体的には、腕部の幅と同程度の幅（手桶本体の周方向の長さ）と長さ（手桶本体の高さ方向の長さ）とすることができる。この場合、外側突起部の形状は、特に制限はないが、例えば、手桶本体の高さ方向に平行な断面（図３参照）において、手桶本体の底面から開口に向かって厚くなる形状とすることができる。このような形状であると、手桶を逆さにして乾燥させる際に水が外側突起部で留まり難く、手桶が乾燥しやすくなる。
【００２８】
なお、外側突起部は、幅を腕部の幅と同程度とし、長さについては、手桶本体の底部から、手桶本体の高さの３／４程度の位置までとすることができる。
【００２９】
外側突起部を複数形成する場合、その数は特に制限はないが、２〜４個とすることができる。この場合、手桶本体の周方向に均等に配置されることが好ましい。図１〜図３に示す墓参り用手桶１００は、２個の外側突起部１８が形成された例を示している。
【００３０】
外側突起部の高さは、適宜設定することができ、例えば、同じ形状の墓参り用手桶を積み重ねた際に、手桶本体の高さの３／４より上の部分が露出するような高さとすることができる。
【００３１】
手桶本体の形状は、特に限定されるものではなく、従来公知の墓参り用手桶の手桶本体の形状を適宜採用できる。例えば、手桶本体の形状としては、開口の形状が、円形、楕円形、三角形、矩形、五角形等の多角形等を挙げることができる。更に、手桶本体の底部の形状についても、特に限定されるものではなく、例えば、円形、楕円形、三角形、矩形、五角形等の多角形等を採用することができる。なお、手桶本体の底部は、開口と同じ大きさ及び形状であっても良いし、異なる大きさ及び形状であってもよい。
【００３２】
墓参り用手桶と別の墓参り用手桶とを重ねて収納する際に、墓参り用手桶が、別の墓参り用手桶と同じ種類（特に、手桶本体が同じ大きさ等）である場合には、開口の径又は開口を構成する各辺の長さに対して、開口から底部までの手桶本体の径又は手桶本体の開口を構成する各辺の長さが、漸減するような径又は各辺から形成されていることが好ましい。即ち、手桶本体は、手桶本体の開口と手桶本体の底部とが相似形であり且つ開口に比して底部の大きさが小さいことが好ましい。このようにすると、墓参り用手桶と別の墓参り用手桶とを積み重ねて収納し易くなる。なお、墓参り用手桶が、別の墓参り用手桶と異なる種類である場合であっても、積み重ねて収納できる場合には、本考案の墓参り用手桶に含まれる。
【００３３】
［１−１−１］内側突起部：
本考案の墓参り用手桶は、手桶本体が、この手桶本体の側壁の内表面から突出する内側突起部を有することが好ましい。この内側突起部を有することにより、墓参り用手桶を積み重ねた際に内側突起部と外側突起部とを当接させて、より確実に、手桶本体と別の墓参り用手桶との間に空間を形成することができる。
【００３４】
内側突起部は、外側突起部と同様に、小さな突起とすることができ、複数形成することができる。なお、内側突起部の幅は、腕部の幅より広くすることがよい。このようにすると、墓参り用手桶を積み重ねる際に内側突起部と外側突起部とを当接させやすくなる。
【００３５】
内側突起部の形成位置や高さは、特に制限はないが、同じ形状の墓参り用手桶を積み重ねて内側突起部と外側突起部とを当接させた際に、手桶本体の高さの３／４より上の部分が露出する位置とすることができる。
【００３６】
内側突起部の形状は、特に制限はないが、外側突起部と同じ形状とすることができる。即ち、例えば、手桶本体の高さ方向に平行な断面（図３参照）において、手桶本体の底面から開口に向かって厚くなる形状とすることができる。このような形状であると、手桶を逆さにして乾燥させる際に水が内側突起部で留まり難く、手桶が乾燥しやすくなる。
【００３７】
図３には、手桶本体１０が、この手桶本体１０の側壁１５の内表面１５ｂから突出する内側突起部２０を有する墓参り用手桶１００を示している。この墓参り用手桶１００は、内側突起部２０の幅が、腕部１２（図１参照）の幅より広く且つ外側突起部１８の幅より広くなっている。
【００３８】
［１−１−２］スリット：
本考案の墓参り用手桶は、手桶本体の、側壁、底部、または、側壁と底部の両方に、スリットが形成されていることが好ましい。このようにスリットが形成されると、濡れた手桶を積み重ねた際に、スリットを伝って水が流れ落ちるため、水切りが良く、より確実に手桶を乾燥させることができる。また、手桶本体の側壁にスリットが形成されると、手桶本体と別の墓参り用手桶との間により確実に空間を形成することができ、手桶を積み重ねたときの通気性が更に良好になる。
【００３９】
スリットは、その形成方向について特に制限はないが、手桶本体の高さ方向に沿って延びるように形成することができる。
【００４０】
スリットの数は、特に制限はないが、側壁及び底部それぞれの表面ごとに１〜６本程度形成することができる。
【００４１】
また、側壁に形成したスリットと底部に形成したスリットとは、繋がっているように形成することができる。このようにすることで、スリットを伝って水がより確実に流れ落ちるため、水切りが良くなる。
【００４２】
スリットの長さは、特に制限はないが、側壁に形成されるスリット２５（図１参照）については、手桶本体の高さ方向に全部に形成することができる。また、手桶本体と別の墓参り用手桶とが重なるのは、手桶本体の底部から、手桶本体の高さの３／４程度の位置までであるので、この部分にスリットを形成することもできる。
【００４３】
スリットの延びる方向に直交する断面における形状は、特に制限はなく、コの字状、Ｖ字状、円弧状などとすることができる。
【００４４】
このスリットは、側壁、底部における外表面、内表面、またはこれらの両方に形成することができる。図１〜図３に示す墓参り用手桶１００は、手桶本体１０の側壁１５の外表面１５ａに、手桶本体１０の高さ方向に沿って延びるスリット２５を形成している。また、墓参り用手桶１００は、手桶本体１０の側壁１５の内表面１５ｂに、手桶本体１０の高さ方向に沿って延びるスリット２６を形成している（図３参照）。墓参り用手桶１００において、スリット２５，２６の長さは、手桶本体１０の底部１１から、手桶本体１０の高さの３／４程度の位置までである。墓参り用手桶１００は、外表面１５ａに３本のスリット２５を形成し、内表面１５ｂにも３本のスリット２６を形成している。なお、底部のスリットについては後述する。
【００４５】
［１−１−３］テーパー面：
本考案の墓参り用手桶は、図５に示す墓参り用手桶１０１のように、手桶本体１０の底部１１が、外方に突出するテーパー面を有することも好ましい。底部１１がテーパー面１１ｂを有するものであると、墓参り用手桶１０１を逆さにして乾燥させる際に、底部１１に付着した水が流れ落ちやすい。一方、底部が平面状や凹面状であると、墓参り用手桶の上下を逆さにして保管した場合に、底部上に水が溜まる場合がある。その場合、墓参り用手桶が乾燥し難くなる。一方、底部がテーパー面（テーパー面の傾斜部分）を有することにより、水切りを促進させ、早く乾燥させることができる。特に、墓参り用手桶（手桶本体）が木製である場合には、早く乾燥できると、手桶本体を傷めずに長持ちさせることができる。
【００４６】
「手桶本体の底部が、外方に突出するテーパー面を有する」とは、手桶本体の底部において地面と対向する面（外表面）が、凸状に盛り上がった面であることを意味する。つまり、図５に示す墓参り用手桶１０１のように、墓参り用手桶１０１を地面に載置した際に、手桶本体１０における底部１１の外表面１１ａが地面に向かって突き出すことになる。なお、底部の外表面が「外方に突出する」程度は、手桶本体の底部に配設される脚部よりも低い程度がよい。墓参り用手桶を安定して載置するためである。図５は、本考案の墓参り用手桶の他の実施形態を模式的に示す正面図である。
【００４７】
手桶本体の底部が、外方に突出するテーパー面を有する場合、図５に示すように外表面１１ａの中央部が外方に突出してもよいし、その他の部分が外方に突出してもよい。また、底部は、墓参り用手桶の高さ方向に延びるように外方に突出してもよいし、墓参り用手桶の高さ方向に対して傾斜するように外方に突出してもよい。
【００４８】
底部は、１つの部材からなってもよいし、平板状の部材と錐状の部材とを重ね合せたもの（複数の部材からなるもの）であってもよい。なお、錐状の部材の一方の表面がテーパー面となる。
【００４９】
図６は、本考案の墓参り用手桶の他の実施形態を模式的に示す底面図である。図６に示す墓参り用手桶１０１は、底部１１に周方向に均等な間隔で３つのスリット２８が形成されている。底部１１に形成されるスリット２８は、図６に示すように、底部１１の外縁から中央に向かって延びるように形成されることができる。このような方向にスリット２８を形成すると、墓参り用手桶１０１を逆さにした際にスリット２８を伝って水がより確実に流れ落ちるため、水切りが良くなる。なお、墓参り用手桶１０１は、底部１１に形成したスリット２８と側壁１５の外表面１５ａに形成したスリット２５が繋がっている。
【００５０】
手桶本体の材料としては、特に限定されるものではないが、持ち運び容易な重量、製造コストが低いという観点から、木材、樹脂（合成樹脂）、アルミニウム等の金属等を挙げることができる。
【００５１】
［１−２］腕部：
一対の腕部１２、１２は、図１に示すように、手桶本体１０の開口１０ａ側の端部から外方に延びるものである。一対の腕部は、図１、図２に示すように、板状の部材とすることができる。なお、「手桶本体の開口側の端部から外方に延びる」とは、手桶本体１０の開口１０ａ側の端部から、手桶本体１０の底部１１とは反対側の方向に直線状に延びることを意味する。
【００５２】
一対の腕部１２、１２の先端には、持ち手部材１４を着脱可能にする連結部２１が設けられることが好ましい。持ち手部材１４を着脱可能にする連結部２１が設けられることにより、容易に持ち手部材１４を着脱することができる。そのため、墓参り用手桶同士を容易に積み重ねて収納できる。連結部２１は、図１に示すように、腕部１２の側面方向から連結部２１を見た際に、その形状が鉤状であることがよい。このような形状であると、持ち手部材１４を容易に着脱することができる。ただし、連結部２１は、このような形状に限定されるものではなく、持ち手部材が着脱可能なものであればよい。
【００５３】
腕部の材料は、特に限定されるものではないが、持ち運び容易な重量、製造コストが低いという観点から、木材、樹脂（合成樹脂）、アルミ等の金属等を挙げることができる。
【００５４】
［１−３］持ち手部材：
持ち手部材１４は、図１に示すように、一対の腕部１２、１２の一方から他方に亘って配設され、一対の腕部１２、１２に着脱自在なものである。墓参り用手桶を持ち上げる場合などに、使用者が持ち手部材１４を握ることになる。
【００５５】
「一対の腕部の一方から他方に亘って配設され」とは、手桶本体１０の開口１０ａの上方側で、持ち手部材１４の一方の端部が一方の腕部１２に配置され、他方の端部が他方の腕部１２に配設されることを意味する。「一対の腕部に着脱自在」とは、適宜、一対の腕部から持ち手部材を取り外すことができるとともに、一対の腕部に持ち手部材を取り付けることができることを意味する。なお、持ち手部材は、墓参り用手桶を積み重ねて収納する（片付ける）際に取り外される。
【００５６】
持ち手部材１４の材料は、特に限定されるものではないが、持ち運び容易な重量、製造コストが低いという観点から、木材、樹脂（合成樹脂）、アルミ等の金属等を挙げることができる。
【００５７】
［１−３−１］柄杓：
本考案の墓参り用手桶は、更に柄杓を備えるものであることが好ましい。具体的には、持ち手部材の端部には、水をすくうことが可能な碗状の碗状部材が配設され、この持ち手部材が、柄杓の柄であり、碗状部材が柄杓の碗であることが好ましい。本考案の墓参り用手桶は、このように、墓参り用手桶の持ち手部材と柄杓の柄とを一体とすることが好ましい。このようにすると、墓参り用手桶を運ぶ際に別途柄杓を持つ必要がない。つまり、墓参り用手桶として柄杓を一緒に持ち運べるため、墓参りに来た際に容易に移動を行える。
【００５８】
墓参りには、手桶以外に荷物を持つことがあり、手桶以外の荷物（手荷物）を持ちながら手桶と柄杓を持って移動することは難しい場合がある。特に、墓参りには年配者が多く、手荷物を持ちながら手桶と柄杓を持って移動することは転倒などの危険もある。
【００５９】
一方で、図８、図９に示す墓参り用手桶１０３のように、墓参り用手桶１０３が柄杓３０を備えていると、移動の際に、別途柄杓を持つ手間を省くことができる。そのため、墓参り用手桶１０２によれば更に容易に移動することができる。図８、図９に示す墓参り用手桶１０３は、持ち手部材１４としても機能する柄杓３０の柄３１と、柄杓３０の碗である碗状部材３５を有するものである。
【００６０】
更に、墓参り用手桶を収納する際には、従来、墓参り用手桶から取り外した持ち手部材を別途保管するスペースを用意する必要があった。しかし、本考案の墓参り用手桶は、持ち手部材と柄杓が一体であるため、持ち手部材を保管するためのスペースを別途用意する必要がない。そのため、更に、収納スペースを小さくすることができる。
【００６１】
なお、持ち手部材と柄杓を一体とする場合、連結部は、図８に示すように、腕部１２、１２の側面に開口を有する凹状に切り欠かれたもの（連結部２２）であることが好ましい。このように連結部２２を形成すると、一対の腕部１２、１２に取り付けた柄杓３０が一対の腕部１２、１２から落下してしまうことを防止できる。
【００６２】
図８は、本考案の墓参り用手桶の更に他の実施形態を模式的に示す斜視図である。図９は、本考案の墓参り用手桶の更に他の実施形態を模式的に示す正面図である。
【００６３】
［１−４］脚部：
本考案の墓参り用手桶は、手桶本体の底部に配設される脚部を更に備えることができる。このような脚部を備えることにより、手桶を自立させることができる。特に、底部にテーパー面を有する場合、手桶を自立させるためには脚部を備えることが好ましい。
【００６４】
脚部の形状は、特に制限はなく、例えば、図５、図６に示すように、柱状のものなどを挙げることができる。図５、図６に示す墓参り用手桶１０１は、円柱状の３つの脚部２９を備えている。この３つの脚部２９は、手桶本体１０の周方向に均等な間隔で配置されている。
【００６５】
脚部２９の材料は、特に限定されるものではないが、持ち運び容易な重量、製造コストが低いという観点から、木材、樹脂（合成樹脂）、アルミ等の金属等を挙げることができる。
【００６６】
［１−４−１］キャスター：
本考案の墓参り用手桶は、脚部が、キャスターであってもよい。この場合、キャスターが３つ以上配設することができる。図７に示す墓参り用手桶１０２は、図５、図６に示す墓参り用手桶１０１の３つの脚部２９に代えて、３つのキャスター１６が、手桶本体１０の底部１１に配設されるものである。このようにキャスター１６が３つ以上配設されると、墓参り用手桶１０２の移動が容易になる。つまり、墓参りには、手桶以外に手荷物を持ちながら移動することが多いが、水の入った手桶を持ち運ぶことは特に年配者には難しい場合がある。このような場合でも、本考案の墓参り用手桶によれば、手荷物を持ちながらであっても目的の墓まで移動し易くなる。具体的には、片手がカバンや墓参り用の花、供え物等で塞がっていても、反対側の手で手桶の持ち手部材を引っ張ることで、キャスターのコロ（車輪）が回転し、墓参り用手桶を容易に持ち運ぶことができる。
【００６７】
なお、配設されるキャスターの数は、３つ以上とすることができ、手桶の載置安定性が良好となり、製造コストが低廉となる観点からは、３つであることが好ましい。
【００６８】
３つのキャスターを配設する場合、２つのキャスターを結ぶ直線が持ち手部材と平行になるように、各キャスターを配設することが好ましい（図７参照）。このようにすると、墓参り用手桶を引っ張って運ぶことが容易になる。図７は、本考案の墓参り用手桶の更に他の実施形態を模式的に示す正面図である。
【００６９】
キャスターの材料や形状は、特に限定されるものではなく、キャスターは、従来公知のものを適宜採用することができる。
【００７０】
［２］本考案の墓参り用手桶の使用方法：
まず、複数の墓参り用手桶が収納場所（収納置場）に、積み重ねて収納されている場合には、各墓参り用手桶（持ち手部材無し）を取り出す。このとき、持ち手部材が取り外された状態で収納されているため、取り出した墓参り用手桶（持ち手部材無し）の一対の腕部に持ち手部材を取り付ける。
【００７１】
この状態で、手桶本体に水を入れ、目的の墓まで、持ち手部材を持ちながら移動する。
【００７２】
更に、墓に水をかける際に、持ち手部材が柄杓である場合には、持ち手部材（柄杓）を一対の腕部から取り外し、取り外した柄杓を使うことができる。
【００７３】
水をかけ終えた後は、再び持ち手部材（柄杓）を一対の腕部に取り付ける。そして、墓参り用手桶の持ち手部材を持って、収納場所（収納置場）へ墓参り用手桶を移動させる。その後、収納する場合には、既に持ち手部材が取り外された別の墓参り用手桶に逆さにして積み重ねる。そして、更に、別の墓参り用手桶を積み重ねる際には、持ち手部材を取り外す。
【００７４】
このように逆さにして積み重ねた墓参り用手桶は、手桶本体の外側突起部と既に収納されている別の墓参り用手桶とが当接し、図４に示すように、手桶本体１０と別の墓参り用手桶との間に空間が形成される。このような空間が形成されるため、墓参り用手桶の間における通気性を確保でき、水切りを容易に行えて乾燥させやすい。更に、持ち手部材が取り外せるため、墓参り用手桶を積み重ねて収納することができ、収納スペースを小さくすることができる。
【産業上の利用可能性】
【００７５】
本考案の墓参り用手桶は、収納スペースを小さくすることができ、水切りを容易に行えて乾燥させやすい。
【符号の説明】
【００７６】
１０：手桶本体、１０ａ：開口、１１：底部、１１ａ：外表面、１１ｂ：テーパー面、１２：腕部、１４：持ち手部材、１５：側壁、１５ａ：外表面、１５ｂ：内表面、１６：キャスター、１８：外側突起部、２０：内側突起部、２１，２２：連結部、２５，２６，２８：スリット、２９：脚部、３０：柄杓、３１：柄、３５：碗状部材、１００，１０１，１０２，１０３：墓参り用手桶。
【図１】
0003198048.tif 000003
【図２】
0003198048.tif 000004
【図３】
0003198048.tif 000005
【図４】
0003198048.tif 000006
【図５】
0003198048.tif 000007
【図６】
0003198048.tif 000008
【図７】
0003198048.tif 000009
【図８】
0003198048.tif 000010
【図９】
0003198048.tif 000011